(57)【特許請求の範囲】
【請求項１】
重量物の転倒を防止するために前記重量物の下に敷かれる防振パッドにおいて、
弾性材料からなる弾性シートと、
前記弾性シートを補強するために前記弾性シートと一体に設置されると共に、周壁により内部を囲う筒部を有して硬質材料から形成された筒状補強部材であって、前記重量物の荷重を受ける支持部が複数段形成されている筒状補強部材と、を備え、
前記筒状補強部材の内部に、前記弾性シートが存在しない中空部が形成されていることを特徴とする防振パッド。
【請求項２】
前記筒状補強部材の内部に設置された、当該筒状補強部材が完全につぶれてしまうのを防止するためのスペーサーをさらに備えることを特徴とする請求項１に記載の防振パッド。
【発明の詳細な説明】
【技術分野】
【０００１】
本発明は、重量物の振動を抑えて転倒を防止するための防振パッドに関し、特に、比較的小型の重量物への使用に適した防振パッドに関する。
【背景技術】
【０００２】
従来から、家具や墓石等の比較的小型の重量物が地震時に転倒するのを防止するための転倒防止シートが提供されている。このような転倒防止シートとしては、例えば、弾性樹脂製のシートが広く提供されており、重量物の下に敷いて利用される。
【０００３】
ところが、墓石等の50kgを超えるような小型重量物の下に弾性樹脂製シートを敷いた場合、荷重により樹脂製シートがつぶれてしまい、振動を吸収するといった作用効果をほとんど発揮できなくなってしまうケースが発生していた。特に、墓石を多段に積み上げる構造の墓の場合には、弾性樹脂シートを敷く場所によっては、80〜1,500kgの荷重がかかる場合もある。
【０００４】
このような問題を解決するために、下記特許文献１乃至３に開示された転倒防止シートが提供されている。下記特許文献１乃至３においては、弾性樹脂製シートと共に、金属製の固い球状体を設置したり、硬質粒子を挟みつつ鋼板を積層したりすることで、荷重により樹脂製シートがつぶれるのを防止している。
【先行技術文献】
【特許文献】
【０００５】
【特許文献１】特許第４２３８２７７号公報
【特許文献２】特開２００８−２５６０５３号公報
【特許文献３】実用新案登録第３１２１８１５号公報
【発明の概要】
【発明が解決しようとする課題】
【０００６】
しかし、従来のように球体を転倒防止シートに設置する場合、重量物の荷重が一点に集中してしまい、安定して重量物を支えることができなくなるケースも発生していた。また、球体を構成する金属の剛性によって対応可能な重量物の重さが決まってくるため、幅広い重さの重量物に対応することが困難であった。
【０００７】
本発明は、このような課題に鑑みてなされたものであり、幅広い重量物に対応することが可能であり、安定して重量物を支えながら振動を吸収することの可能な新規な構造の防振パッドを提供することを目的とする。
【課題を解決するための手段】
【０００８】
上記課題を解決するために、本発明に係る防振パッドは、重量物の転倒を防止するために前記重量物の下に敷かれる防振パッドにおいて、弾性材料からなる弾性シートと、前記弾性シートを補強するために前記弾性シートと一体に設置されると共に、周壁により内部を囲う筒部を有して硬質材料から形成された筒状補強部材であって、前記重量物の荷重を受ける支持部が複数段形成されている筒状補強部材と、を備え、前記筒状補強部材の内部に、前記弾性シートが存在しない中空部が形成されていることを特徴とする。
【発明の効果】
【０００９】
本発明に係る防振パッドによれば、幅広い重量物に対して安定して重量物を支えながら振動を吸収することができる。
【図面の簡単な説明】
【００１０】
【図１】図１は、第一実施形態に係る防振パッドの構成を示す図である。
【図２】図２は、第一実施形態の変形例１に係る防振パッドの構成を示す図である。
【図３】図３は、第二実施形態に係る防振パッドの構成を示す図である。
【図４】図４は、第三実施形態に係る防振パッドの構成を示す図である。
【図５】図５は、第三実施形態の変形例１に係る防振パッドの構成を示す図である。
【図６】図６は、第四実施形態に係る防振パッドの構成を示す図である。
【図７】図７は、第四実施形態の変形例１に係る防振パッドの構成を示す図である。
【図８】図８は、第五実施形態に係る防振パッドの構成を示す図である。
【図９】図９は、第六実施形態に係る防振パッドの構成を示す図である。
【発明を実施するための形態】
【００１１】
以下、図面を参照しながら、本発明の実施形態に係る防振パッドについて説明する。
（第一実施形態）
まず、図１を参照しながら、第一実施形態に係る防振パッドについて説明する。図１は、第一実施形態に係る防振パッドの構成を示す図であり、図１（ａ）が、防振パッドの平面図、図１（ｂ）が、図１（ａ）のＡ−Ａ線による断面図である。
【００１２】
図１に示すように、防振パッド１０は、略正方形の板状をしており、弾性材料から形成された弾性シート１１、金属製の筒状補強部材１５、リング１９を備えている。弾性シート１１は、粘着性のある合成樹脂から形成されており、本実施形態では、透明なシリコーンゲルが使用されている。
【００１３】
筒状補強部材１５は、全体として略円筒形状をした補強部材であり、小径の上側円筒部１７ａ、大径の下側円筒部１７ｂとを有している。また、筒状補強部材１５の上部には、小径の円形開口が形成された上面部１６ａが形成され、下部には、大径の円形開口が形成された下面部１６ｂが形成されている。
【００１４】
また、筒状補強部材１５の上側円筒部１７ａと下側円筒部１７ｂとの境界には、上側円筒部１７ａの下端と下側円筒部１７ｂの上端とを水平につなぐ、円帯状の中間段面部１６ｃが形成されている。本実施形態における筒状補強部材１５の材料は、ステンレスである。
【００１５】
リング１９は、金属製リングであり、本実施形態では真鍮から形成されている。リング１９は、筒状補強部材１５の下側円筒部１７ｂの内側に設置されており、下側円筒部１７ｂの内径よりも小さい外径である。
【００１６】
また、防振パッド１０には、筒状補強部材１５の内部において、底面から上面部１６ａの下端部分にかけて、弾性シート１１の存在しない円錐台形状の中空部１３が形成されている。中空部１３の底面は、下面部１６ｂの円形開口と略同じ径の円形であり、中空部１３の上面は、上面部１６ａの円形開口と略同じ径の円形となっている。
【００１７】
防振パッド１０が重量物の下に敷かれると、重量物下面と、重量物が設置されている基台上面との間に挟まれることになり、重量物下面によって筒状補強部材１５の上部開口が塞がれ、基台上面によって筒状補強部材１５の下部開口が塞がれることになる。
【００１８】
ここで、弾性シート１１を構成する合成樹脂が筒状補強部材１５の内部に隙間無く充填されていると、合成樹脂の収縮率（寸法変化）は非常に小さいため、重量物に作用する振動を吸収しようとして金属製の筒状補強部材１５が変形しようとしても、内部に充填されている合成樹脂の逃げ場がない。すなわち、筒状補強部材１５がその内部の体積を減らす方向に変形する、すなわち、筒状補強部材１５が内側に変形することができなくなってしまう。
【００１９】
これでは、防振パッド１０の防振機能を発揮することができない。これに対して、本実施形態のように筒状補強部材１５の内部に隙間である中空部１３を形成しておけば、筒状補強部材１５が内側に変形する際に移動する合成樹脂の逃げ場となり、筒状補強部材１５の変形により振動を吸収することが可能となる。
【００２０】
次に、防振パッド１０の製造方法について、説明する。まず、筒状補強部材１５をプレス加工（塑性変形加工）により成形する。具体的には、プレス金型を用いて、金属製プレートをプレス加工（絞り加工）し、略円筒形状の筒状補強部材１５を成形する。
【００２１】
続いて、別容器内に筒状補強部材１５をセットし、シリコーンゲル材料を注入し硬化させる。ここで、この容器には、上述した中空部１３を形成するための突起部が形成されており、この突起部が存在する領域には、シリコーンゲルが流れることができない。
【００２２】
したがって、シリコーンゲルの硬化後に防振パッド１０を取り出せば、中空部１３が形成された防振パッド１０が完成する。なお、防振パッド１０のサイズは、対象重量物の形状や設置環境に合わせて適宜変更できるが、例えば、一辺が50mm、厚さ4mmとする。
【００２３】
以上、詳細に説明した防振パッド１０によれば、小型重量物の下に敷くことで、地震等の発生の際に重量物に作用する振動を吸収し、転倒を防止することが可能となる。具体的には、防振パッド１０は、硬質材料から形成された筒状補強部材１５を備えることで、重量物の荷重により弾性シート１１がつぶれてしまうのを防止し、安定して重量物を支えながら振動を吸収することができる。
【００２４】
また、本実施形態では、内部に中空部１３が形成された筒状補強部材１５を備えることで、筒状補強部材１５内に充填された合成樹脂によって筒状補強部材１５が変形できなくなるのを防止し、荷重に応じて筒状補強部材１５が変形することで、安定して重量物を支えながら振動を吸収することができる。
【００２５】
また、本実施形態では、筒状補強部材１５に中間段面部１６ｃが形成され、上面部１６ａと合わせて、重量物を支持するための支持部（面）が異なる高さで二段設けられており、幅広い重さの重量物に適切に対応可能である。例えば、比較的軽い重量物の場合には、最も高い上面部１６ａだけで重量物が支えられる。一方、重量物が重くなるに従って、筒状補強部材１５が変形し、重量物が中間段面部１６ｃの高さに下降するまで凹むと、上面部１６ａに加えて中間段面部１６ｃによっても重量物が支えられることになる。
【００２６】
また、筒状補強部材１５が頑丈すぎて、重量物が筒状補強部材１５のみによって支えられてしまうと、弾性シート１１により重量物を支えることができなくなり、弾性シート１１による振動の吸収ができなくなってしまう。これに対して、本実施形態では、段階的に高さが異なる支持部（上面部１６ａ，中間段面部１６ｃ）を複数段形成することで、荷重に応じて重量物を支持する支持部が選択的に使用されるので、幅広い重さの重量物に対して、弾性シート１１の支持による振動吸収作用を発揮させることができる。
【００２７】
さらに、段階的に高さが異なる複数の支持部１６ａ，１６ｃが形成されていることで、防振パッド１０を使って重量物の傾き調整を行うことも可能である。例えば、墓石を設置する際には、土台の上に竿石を設置するが、そのまま竿石を設置しただけでは竿石が傾いている場合も多いので、従来は、スペーサーを挟んで竿石を叩くなどして傾き調整が行われていた。
【００２８】
これに対して、防振パッド１０を竿石の下の四隅に敷いておけば、低く調整したい側を叩くことで、段階的に筒状補強部材１５を変形させて高さ調整を行うことができるので、竿石の傾きを調整することができる。なお、墓石に防振パッド１０を使用する際には、新設の墓石に使用することもできるし、既存の墓石の耐震性向上や傾き修正に用いることもできる。
【００２９】
また、本実施形態では、筒型補強部材１５をプレス加工による塑性変形により形成しているので、筒型補強部材１５の強度が高く、丈夫な防振パッド１０を提供することができる。ダイカストで鋳造方式により製造した場合には、塑性変形により製造した場合と比較してせん断強度が低くなるため、重量物の荷重が大きくなった場合に破断するおそれもあるが、プレス加工によれば、高いせん断強度を実現できる。
【００３０】
また、本実施形態に係る筒状補強部材１５は、重量物の支持部となる上面部１６ａ及び中間段面部１６ｃが点ではなく面となっており、重量物を面で支えることで、安定した支持が可能となる。
【００３１】
また、本実施形態においては、弾性シート１１を粘着性のあるゲル材料から形成しており、防振パッド１０をセットする際の作業を容易に行うことができる。弾性シート１１は、防振パッド１０の底面の大部分に設置されており、防振パッド１０を重量物の下に配置するにあたって、土台となる下側構造物の上面に置けば、防振パッド１０と下側構造物とが弾性シート１１により強固に接着される。
【００３２】
したがって、その後重量物を設置する際に、防振パッド１０に何かが接触してしまって所望の設置場所からずれてしまうといったことを防止できる。なお、防振バッド１０を設置する際には、接着剤を併用すれば、防振パッド１０と構造物との接着性をさらに高めて耐震性をより高めることができる。
【００３３】
また、本実施形態においては、筒状補強部材１５の下側円筒部１７ｂの内部に金属製のリング１９が設置されており、筒状補強部材１５が変形して上面部１６ａが下方に下がって来ても、このリング１９の存在により、それ以上の変形を阻止することができる。これにより、防振パッド１０が完全につぶれることを防止し、大きな地震がきた場合であっても、防振パッドの防振機能を最低限確保することが可能となる。
【００３４】
以上、本実施形態について詳細に説明したが、本実施形態は、本発明の主旨を逸脱しない範囲内で種々の変形が可能である。例えば、弾性シート１１の材料としては、シリコーンゲルに限らず、その他の高分子ゲル、ゴム等、他の弾性材料を適宜使用することができる。もちろん粘着性が無い材料であっても良い。
【００３５】
また、筒状補強部材１５の材料としても、ステンレス以外のアルミ、真鍮、銅合金等の他の金属や、熱可塑性樹脂等の硬質樹脂等、変形可能な筒状補強部材１５を構成できる硬質材料であれば、適宜他の材料を使用することができる。また、リング１９の材料も筒状補強部材１５と同様に適宜他の硬質材料を用いることができる。
【００３６】
また、筒状補強部材１５の形状は、円筒形状に限らず、全体として角筒形状であっても良く、内部を覆う周壁（側壁）が形成された筒部を有し、重量物を支持するための支持部が多段に形成された筒状補強部材であれば良い。また、周壁が斜めになった斜筒でも良いし、支持部が面ではなく線や点であっても良い。
【００３７】
また、上記実施形態では、重量物を支持するための支持部（上面部１６ａ，中間段面部１６ｃ）が二段に設けられているが、三段以上の複数段に設けられても良い。また、上記実施形態では、上面部１６ａ及び下面部１６ｂの双方に円形開口が設けられているが、中空部１３が合成樹脂の逃げ場となるため、開口を形成しなくても良い。但し、大きな重量物に対応するためには、筒状補強部材１５の外部に合成樹脂が移動できるように、上面部１６ａ及び下面部１６ｂの少なくとも一方に開口を形成したほうが良い。
【００３８】
また、リング１９の形状もリング状に限らず、筒状補強部材１５の内部に位置して筒状補強部材１５が完全につぶれてしまうのを防止することのできるスペーサーとして機能できる形状であれば、円盤形状や角柱形状であっても良い。
【００３９】
続いて、第一実施形態の変形例１について、図２を参照しながら説明する。図２は、第一実施形態の変形例１に係る防振パッドの構成を示す図であり、図２（ａ）が、防振パッドの平面図、図２（ｂ）が、図２（ａ）のＢ−Ｂ線による断面図である。
【００４０】
本変形例に係る防振パッド１０’は、上記防振パッド１０と略同じ構成であるため、同じ部材には同じ番号を付し、説明を省略する。本変形例では、筒状補強部材１５’の構成が上記実施形態と異なっており、上面部１６ａ’に上部開口が形成されておらず、筒状補強部材１５’の上部が閉じた構成となっている。
【００４１】
本変形例によれば、上記実施形態と同様の作用効果を奏することができると共に、筒状補強部材１５’の上部が閉じていることで、上記実施形態よりも内部の合成樹脂が外部に移動し難く、この分だけ筒状補強部材１５’が内側に変形しに難くなる。よって、本変形例に係る防振パッド１０’は、上記実施形態よりも大きい重量物への使用に適している。
【００４２】
（第二実施形態）
次に、図３を参照しながら、第二実施形態に係る防振パッドについて説明する。図３は、第二実施形態に係る防振パッドの構成を示す図であり、図３（ａ）が、防振パッドの平面図、図３（ｂ）が、図３（ａ）のＣ−Ｃ線による断面図である。
【００４３】
図３に示すように、防振パッド２０は、略正方形の板状をしており、弾性材料から形成された弾性シート２１、金属製の筒状補強部材２５、リング２９を備えている。防振パッド２０は、上記第一実施形態に係る防振パッド１０と共通する構成を多数有しており、同様の構成については詳細な説明を省略する。
【００４４】
第二実施形態において、弾性シート２１、筒状補強部材２５及びリング２９は、上記第一実施形態の弾性シート１１、筒状補強部材１５及びリング１９にそれぞれ対応するが、第一実施形態とは弾性シート２１の形状が若干異なる。すなわち、本実施形態では、筒状補強部材２５内の弾性シート２１が存在しない場所である中空部２３が上下に分かれている。筒状補強部材２５の上面部２６ａの円形開口付近に上側中空部２３ａ、筒状補強部材２５の下面部２６ｂの円形開口付近に下側中空部２３ｂが形成されている。
【００４５】
第二実施形態に係る防振パッド２０の製造方法も上記第一実施形態と同様である。但し、上側及び下側の中空部２３ａ，２３ｂを形成するために、シリコーンゲルを注入し硬化させる際の容器に上下二つ突起部を形成しておく必要がある。
【００４６】
また、第二実施形態においても、第一実施形態と同様に、本発明の主旨を逸脱しない範囲内で種々の変形が可能である。以上、第二実施形態によれば、第一実施形態と同様の作用効果を奏し、小型重量物の下に敷くことで、地震等の発生の際に振動を吸収し、転倒を防止することが可能となる。なお、本実施形態では、第一実施形態と比較して中空部２３の体積がやや小さいので、第一実施形態に係る防振パッド１０よりは、比較的大きい重量物への使用に適している。
【００４７】
（第三実施形態）
次に、図４を参照しながら、第三実施形態に係る防振パッドについて説明する。図４は、第三実施形態に係る防振パッドの構成を示す図であり、図４（ａ）が、防振パッドの平面図、図４（ｂ）が、図４（ａ）のＤ−Ｄ線による断面図である。
【００４８】
図４に示すように、防振パッド３０は、略正方形の板状をしており、弾性材料から形成された弾性シート３１、金属製の筒状補強部材３５、リング３９を備えている。防振パッド３０は、上記第一実施形態に係る防振パッド１０と共通する構成を多数有しており、同様の構成については詳細な説明を省略する。
【００４９】
第三実施形態において、弾性シート３１、筒状補強部材３５及びリング３９は、上記第一実施形態の弾性シート１１、筒状補強部材１５及びリング１９にそれぞれ対応するが、第一実施形態とは弾性シート３１の形状が若干異なる。すなわち、本実施形態では、筒状補強部材３５内の弾性シート３１が存在しない部分である中空部３３が弾性シート３１の下方から上方まで円柱状に貫通して形成されている。
【００５０】
また、中空部３３は、筒状補強部材３５の上面部３６ａの円形開口と略同じ直径の円柱形状であるが、中空部３３の上端は、筒状補強部材３５の上側円筒部３７ａよりも若干小さい開口となるように広げられ、中空部３３の下端は、筒状補強部材３５の下側円筒部３７ｂよりも若干小さい開口となるように広げられている。
【００５１】
第二実施形態に係る防振パッド３０の製造方法も上記第一実施形態と同様である。但し、上下に貫通した中空部３３を形成するために、シリコーンゲルを注入して硬化させる際の容器に、上下につながる突起部を形成する必要がある。
【００５２】
また、第三実施形態においても、第一実施形態と同様に、本発明の主旨を逸脱しない範囲内で種々の変形が可能である。以上、第三実施形態によれば、第一実施形態と同様の作用効果を奏し、小型重量物の下に敷くことで、地震等の発生の際に振動を吸収し、転倒を防止することが可能となる。
【００５３】
続いて、第三実施形態の変形例１について、図５を参照しながら説明する。図５は、第三実施形態の変形例１に係る防振パッドの構成を示す図であり、図５（ａ）が、防振パッドの平面図、図５（ｂ）が、図５（ａ）のＥ−Ｅ線による断面図である。
【００５４】
本変形例に係る防振パッド３０’は、上記防振パッド３０と略同じ構成であるため、同じ部材には同じ番号を付し、説明を省略する。本変形例では、筒状補強部材３５’の構成が上記実施形態と異なっており、上面部３６ａ’に上部開口が形成されておらず、筒状補強部材３５’の上部が閉じた構成となっている。
【００５５】
本変形例によれば、上記実施形態と同様の作用効果を奏することができると共に、筒状補強部材３５’の上部が閉じていることで、上記実施形態よりも内部の合成樹脂が外部に移動し難く、この分だけ筒状補強部材３５’が内側に変形しに難くなる。よって、本変形例に係る防振パッド３０’は、上記実施形態よりも大きい重量物への使用に適している。
【００５６】
（第四実施形態）
次に、図６を参照しながら、第四実施形態に係る防振パッドについて説明する。図６は、第四実施形態に係る防振パッドの構成を示す図であり、図６（ａ）が、防振パッドの平面図、図６（ｂ）が、図６（ａ）のＦ−Ｆ線による断面図である。
【００５７】
図６に示すように、防振パッド４０は、略正方形の板状をしており、弾性材料から形成された弾性シート４１、金属製の筒状補強部材４５、リング４９を備えている。防振パッド４０は、上記第一実施形態に係る防振パッド１０と共通する構成を多数有しており、同様の構成については詳細な説明を省略する。
【００５８】
第四実施形態において、弾性シート４１、筒状補強部材４５及びリング４９は、上記第一実施形態の弾性シート１１、筒状補強部材１５及びリング１９にそれぞれ対応するが、第一実施形態とは弾性シート４１の形状が若干異なる。
【００５９】
すなわち、本実施形態では、筒状補強部材４５内に弾性シート４１が一切存在しておらず、筒状補強部材４５内部が全て中空部４３になっている。また、第四実施形態では、弾性シート４１の高さが、筒状補強部材４５の高さよりも若干低くなっている。
【００６０】
第四実施形態に係る防振パッド４０の製造方法も上記第一実施形態と同様である。但し、筒状補強部材４５を容器内にセットしてシリコーンゲルを注入する際には、筒状補強部材４５内にシリコーンゲルが入らないように、筒状補強部材４５の外側にだけ注入するようにしなければならない。
【００６１】
また、第四実施形態においても、第一実施形態と同様に、本発明の主旨を逸脱しない範囲内で種々の変形が可能である。以上、第四実施形態によれば、第一実施形態と同様の作用効果を奏し、小型重量物の下に敷くことで、地震等の発生の際に振動を吸収し、転倒を防止することが可能となる。特に、本実施形態では、筒状補強部材４５の内部が全て中空となっていることで、筒状補強部材４５が内側に変形しやすくなっているため、比較的小型の重量物への使用に適している。
【００６２】
続いて、第四実施形態の変形例１について、図７を参照しながら説明する。図７は、第四実施形態の変形例１に係る防振パッドの構成を示す図であり、図７（ａ）が、防振パッドの平面図、図７（ｂ）が、図７（ａ）のＧ−Ｇ線による断面図である。
【００６３】
本変形例に係る防振パッド４０’は、上記防振パッド４０と略同じ構成であるため、同じ部材には同じ番号を付し、説明を省略する。本変形例では、筒状補強部材４５’の構成が上記実施形態と異なっており、上面部４６ａ’に上部開口が形成されておらず、筒状補強部材４５’の上部が閉じた構成となっている。本変形例によれば、上記実施形態と同様の作用効果を奏することができる。
【００６４】
（第五実施形態）
次に、図８を参照しながら、第五実施形態に係る防振パッドについて説明する。図８は、第五実施形態に係る防振パッドの構成を示す図であり、図８（ａ）が、防振パッドの平面図、図８（ｂ）が、図８（ａ）のＨ−Ｈ線による断面図である。
【００６５】
図８に示すように、防振パッド５０は、略正方形の板状をしており、弾性材料から形成された弾性シート５１、金属製の筒状補強部材５５を備えている。防振パッド５０は、上記第一実施形態に係る防振パッド１０と共通する構成を多数有しており、同様の構成については詳細な説明を省略する。
【００６６】
第五実施形態において、弾性シート５１及び筒状補強部材５５は、上記第一実施形態の弾性シート１１及び筒状補強部材１５にそれぞれ対応するが、第一実施形態とは、弾性シート５１及び筒状補強部材５５の形状が若干異なる。
【００６７】
本実施形態に係る筒状補強部材５５は、二段の支持部が設けられている点で第一実施形態と共通するが、上面部５６ａが閉じられた形状になっている点、下側円筒部５７ｂが、側壁が内側に傾斜した円錐台（斜筒）状となっている点、下面部５６ｂが外側に向けて延在している点で第一実施形態と異なる。弾性シート５１は、中空部５３が上側円筒部５７ａの内側にのみ形成されている点、筒状補強部材５５の内部５１ａが外側とは違う材料で形成されている点で第一実施形態と異なる。
【００６８】
この弾性シート５１の筒状補強部材５５の内部５１ａの材料としては、弾性シート５１の他の部分の材料であるシリコーンゲルよりもゴム硬度、反発弾性率、振動吸収率の高い材料であるブチルゴム（IIR）が用いられる。このように、内部５１ａの材料を適宜変えることで、様々な性能の防振パッド５０を提供することができ、種々の重量物に対応することが可能となる。
【００６９】
第五実施形態に係る防振パッド５０の製造方法も上記第一実施形態と同様であるが、中空部５３を上側円筒部５７ａの内側のみに形成するために、合成樹脂の注入・硬化工程を二回に分けて行う必要があると共に、筒状補強部材５５の内側と外側とで異なる材料を注入する必要がある。
【００７０】
また、第五実施形態においても、第一実施形態と同様に、本発明の主旨を逸脱しない範囲内で種々の変形が可能である。筒状補強部材５５の内側と外側とで異なる弾性シート５１の材料の組合せも適宜変更可能であり、本実施形態とは逆に内側５１ａを軟らかい材料としても良い。以上、第五実施形態によれば、第一実施形態と同様の作用効果を奏し、小型重量物の下に敷くことで、地震等の発生の際に振動を吸収し、転倒を防止することが可能となる。
【００７１】
特に、第五実施形態では、筒状補強部材５５の上面が閉じていると共に、中空部５３の容積が比較的小さく、また、筒状補強部材５５の内部に硬い合成樹脂材料を配置しているので、他の実施形態と比較して筒状補強部材５５が内側に変形し難い。よって、本実施形態に係る防振パッド５５は、比較的大型の重量物への使用に適している。
【００７２】
（第六実施形態）
次に、図９を参照しながら、第六実施形態に係る防振パッドについて説明する。図９は、第六実施形態に係る防振パッドの構成を示す図であり、図９（ａ）が、防振パッドの平面図、図９（ｂ）が、図９（ａ）のＩ−Ｉ線による断面図である。
【００７３】
図９に示すように、防振パッド６０は、略正方形の板状をしており、弾性材料から形成された弾性シート６１、金属製の筒状補強部材６５を備えている。防振パッド６０は、上記第一実施形態に係る防振パッド１０と共通する構成を多数有しており、同様の構成については詳細な説明を省略する。
【００７４】
第六実施形態において、弾性シート６１及び筒状補強部材６５は、上記第一実施形態の弾性シート１１及び筒状補強部材１５にそれぞれ対応するが、第一実施形態とは、弾性シート６１及び筒状補強部材６５の形状が若干異なる。
【００７５】
本実施形態に係る筒状補強部材６５は、重量物の支持部が上面６６ａだけの一段となっている点、円筒部６７が、側壁が内側に傾斜した円錐台（斜筒）状となっている点、下面部６６ｂが外側に向けて延在している点で第一実施形態と異なる。弾性シート６１は、中空部６３が円筒部６７の略下側半分にのみ形成されている点、筒状補強部材６５の内部６１ａが外側とは違う材料で形成されている点で第一実施形態と異なる。
【００７６】
この弾性シート６１の筒状補強部材６５の内部６１ａの材料としては、弾性シート６１の他の部分の材料であるシリコーンゲルよりもゴム硬度、反発弾性率、振動吸収率の高い材料であるブチルゴム（IIR）が用いられる。このように、内部６１ａの材料を適宜変えることで、様々な性能の防振パッド６０を提供することができ、種々の重量物に対応することが可能となる。
【００７７】
第六実施形態に係る防振パッドの製造方法も上記第一実施形態と同様であるが、合成樹脂の注入・硬化工程において、筒状補強部材６５の内側と外側とで異なる材料を注入する必要がある。また、第六実施形態においても、第一実施形態と同様に、本発明の主旨を逸脱しない範囲内で種々の変形が可能である。
【００７８】
筒状補強部材６５の内側と外側とで異なる弾性シート６１の材料の組合せも適宜変更可能であり、本実施形態とは逆に内側６１ａを軟らかい材料としても良い。以上、第六実施形態によれば、第一実施形態と同様の作用効果を奏し、小型重量物の下に敷くことで、地震等の発生の際に振動を吸収し、転倒を防止することが可能となる。
【００７９】
以上、変形例も含めて本発明の実施の形態について説明したが、筒状補強部材の形状や、筒状補強部材内の弾性材料の量を変えて中空部の容積を調節することで、幅広い重さの重量物に対応できる防振パッドを提供することができる。
【００８０】
ここで、筒状補強部材が大きくつぶれるのを防止し、合成樹脂による振動吸収機能を発揮させるためには、筒状補強部材の内部にある程度の合成樹脂が存在することが望ましく、一方、筒状補強部材の変形を可能にするためには筒状補強部材の内部にある程度の中空部を形成する必要がある。これらを鑑みると、筒状補強部材内の中空部は、筒状補強部材内の容積の１／５以上であって４／５以下であればより望ましい。
【符号の説明】
【００８１】
１０，２０，３０，４０，５０，６０    防振パッド
１１，２１，３１，４１，５１，６１    弾性シート
１３，２３，３３、４３，５３，６３    中空部
１５，２５，３５，４５，５５，６５    筒状補強部材
１６，２６，３６，４６，５６，６６    面部
１７，２７，３７，４７，５７，６７    円筒部
１９，２９，３９，４９                リング
【要約】
【課題】幅広い重量物に対応することが可能であり、安定して重量物を支えながら振動を吸収することの可能な新規な構造の防振パッドを提供する。
【解決手段】本実施形態に係る防振パッド１０は、重量物の転倒を防止するために前記重量物の下に敷かれる防振パッド１０において、弾性材料からなる弾性シート１１と、弾性シート１１を補強するために弾性シート１１と一体に設置される共に、周壁により内部を囲う筒部１７ａ，１７ｂを有して硬質材料から形成された筒状補強部材１５と、を備え、筒状補強部材１５の内部に、弾性シート１１が存在しない中空部１３が形成されていることを特徴とする。
【選択図】図１【図１】
0004730978.tif 000002
【図２】
0004730978.tif 000003
【図３】
0004730978.tif 000004
【図４】
0004730978.tif 000005
【図５】
0004730978.tif 000006
【図６】
0004730978.tif 000007
【図７】
0004730978.tif 000008
【図８】
0004730978.tif 000009
【図９】
0004730978.tif 000010